(57)【要約】【課題】連動して移動する一対の係止爪を備えると共に、一方の係止爪が係止されない状態では他方の係止爪も係止されないカバー係止機構を備えた情報機器装置を提供する。【解決手段】レシートプリンタ１００は、装置本体１１に設けられ、開閉可能に回動される上カバー１３と、上カバー１３を装置本体１１に対して閉状態に係止するカバー係止機構２１と、を備える。カバー係止機構２１は、上カバー１３に設けられ、連動して移動する一対の係止爪３３と、装置本体１１に設けられ、係止爪３３がそれぞれ係止される一対の係止ピン３２，３２と、を有し、一方の係止爪３３が、装置本体１１に対する上カバー１３のガタツキ変位量分の輪郭拡大部を有するように形成される。【選択図】図２
2009029092.tif 000002
【特許請求の範囲】
【請求項１】
装置本体に設けられ、開閉可能に回動されるカバーと、
前記カバーを前記装置本体に対して閉状態に係止するカバー係止機構と、を備えた情報機器装置であって、
前記カバー係止機構は、
前記カバー若しくは前記装置本体の一方に設けられ、連動して移動する一対の係止爪と、
前記カバー若しくは前記装置本体の他方に設けられ、前記係止爪がそれぞれ係止される一対の係止部と、を有し、
少なくとも一方の前記係止爪が、前記装置本体に対する前記カバーのガタツキ変位量分の輪郭拡大部を有するように形成されることを特徴とする情報機器装置。
【請求項２】
一方の前記係止爪の係止状態のみが、カバーオープン検出スイッチにて検出されることを特徴とする請求項１に記載の情報機器装置。
【請求項３】
前記カバーが、前記装置本体の記録媒体収容部を覆うカバーであることを特徴とする請求項１又は２に記載の情報機器装置。
【発明の詳細な説明】
【技術分野】
【０００１】
本発明は情報機器装置に関し、特に、開閉可能に回動されるカバーを装置本体に対して閉状態に係止するカバー係止機構を備えた情報機器装置に関する。
【背景技術】
【０００２】
ロール紙を記録媒体に用いる記録装置（情報機器装置）の一つに例えばレシートプリンタがある（例えば、特許文献１参照）。レシートプリンタでは、用紙排出部におけるプラテンローラとサーマルヘッドとでロール紙を表裏から挟んで所定長を繰り出す。繰り出された用紙は、本体開口に設けられたカッターにてマニュアル、或いは自動にてカットされる。
【０００３】
レシートプリンタは、ロール紙の投入が簡単であることが商品価値を高める。記録装置本体の上部にはカバーが開閉自在に設けられ、カバーを開放することにより、ロール紙収容部が開放される。ロール紙の投入は、このカバーの開閉のみにより行えることが望ましい。
これに対し、ロール紙は、プラテンローラとサーマルヘッドとで挟んで繰り出されるため、投入方式（ドロップイン方式）とした場合、用紙排出部におけるプラテンローラとサーマルヘッドとは分離されることとなる。すなわち、サーマルヘッドが記録装置本体に設けられ、プラテンローラがカバーに設けられる。
【０００４】
また、このような記録装置のカバーは、通常使用時は装置本体に対して係止されているが、その係止状態を装置上面に設けられたボタンやレバーの操作によって解除し、カバーを開くように構成されているものが知られている（例えば、非特許文献１参照）。
【０００５】
【特許文献１】特開２００６−１６７９４２
【非特許文献１】製品紹介ホームページ（ｈｔｔｐ：／／ｗｗｗ．ｇｒａｎｄｉ．ｃｎ／ｉｎｃ／ｐｏｓ５８ｇ．ａｓｐ）
【発明の開示】
【発明が解決しようとする課題】
【０００６】
ところで、上記したレシートプリンタのカバーは、幅方向左右に設けられたカバー係止機構によって記録装置本体に対して閉状態に係止される。図６は（ａ）に右側カバー係止機構を装置外方から見た側面視、（ｂ）に左側カバー係止機構を装置外方から見た側面視を示した従来のカバー係止機構の要部説明図である。
カバー係止機構５１１Ｒ，５１１Ｌは、不図示のカバーに設けられ、左右が連動して移動する一対のフック状の係止爪５１３Ｒ，５１３Ｌと、記録装置本体の左右に設けられ、係止爪５１３Ｒ，５１３Ｌがそれぞれ係止される一対の係止ピン５１５Ｒ，５１５Ｌとを有する。係止爪５１３Ｒ，５１３Ｌは、つながっていることで、左右連動して移動される。
【０００７】
しかしながら、左右の係止爪５１３Ｒ，５１３Ｌが連動して係止ピン５１５Ｒ，５１５Ｌに係止されるカバー係止機構５１１Ｒ，５１１Ｌは、左右同時に係止爪５１３Ｒ，５１３Ｌが係止され難い。そこで、記録装置本体に対するカバーのねじれや、カバーの前後方向の位置ズレ等によるガタツキに起因し、左右係止爪５１３Ｒ，５１３Ｌの何れか一方（図例では係止爪５１３Ｌ）が未係止の状態で、他方（図例では係止爪５１３Ｒ）が係止されてしまう場合があった。
【０００８】
このような片掛かり状態をユーザがカバー完全閉止と勘違いし、且つ片掛かりの係止爪５１３Ｒがカバーオープン検出スイッチ５１９によって検出され、レシートプリンタがオンライン状態になることが可能であると、カバーに設けられたプラテン等が傾斜していることから記録媒体に搬送不良が発生するが、レシートプリンタはエラーを検出せず、実際には印字されていないにも関わらず正常に印字されていると勘違したまま正常終了し、その結果、記録データを消失させる等の不具合が発生する虞があった。
【０００９】
本発明は上記状況に鑑みてなされたもので、連動して移動する一対の係止爪を備えると共に、一方の係止爪が係止されない状態では他方の係止爪も係止されないカバー係止機構を備えた情報機器装置を提供することにある。
【課題を解決するための手段】
【００１０】
本発明に係る上記目的は、装置本体に設けられ、開閉可能に回動されるカバーと、
前記カバーを前記装置本体に対して閉状態に係止するカバー係止機構と、を備えた情報機器装置であって、
前記カバー係止機構は、
前記カバー若しくは前記装置本体の一方に設けられ、連動して移動する一対の係止爪と、
前記カバー若しくは前記装置本体の他方に設けられ、前記係止爪がそれぞれ係止される一対の係止部と、を有し、
少なくとも一方の前記係止爪が、前記装置本体に対する前記カバーのガタツキ変位量分の輪郭拡大部を有するように形成されることを特徴とする情報機器装置により達成される。
【００１１】
上記構成の情報機器装置によれば、カバーのねじれや、カバー前後方向の位置ズレ等によるガタツキ変位量分だけ係止爪が係合方向に移動されなければ、係止爪が係止部に係止されなくできる。これにより、一方の係止爪が係止されているにもかかわらず、ガタツキ変位量が作用して他方の係止爪が未係止となる片掛かり状態を防止できる。
【００１２】
尚、上記構成の情報機器装置において、前記輪郭拡大部が、前記カバーの前後方向のガタツキ変位量及び左右の捩れにより発生するガタツキ変位量をキャンセル可能な拡大寸法を有するように形成されることが望ましい。
【００１３】
このような構成の情報機器装置によれば、左右の係止爪の間に、カバー前後方向のガタツキ及びカバー左右の捩れによるガタツキが生じている場合であっても、一方の係止爪が係止されているにもかかわらず、ガタツキ変位量が作用して他方の係止爪が未係止となる片掛かり状態を防止できる。
【００１４】
また、上記構成の情報機器装置において、一方の前記係止爪の係止状態のみが、カバーオープン検出スイッチにて検出されることが望ましい。
【００１５】
このような構成の情報機器装置によれば、片掛かり状態が防止され、双方の係止爪が同時に係止されるので、片側の係止爪の係止状態を検出する一つのカバーオープン検出スイッチだけでカバーの開閉を確実に検出することができる。
【００１６】
また、上記構成の情報機器装置において、前記カバーが、前記装置本体の記録媒体収容部を覆うカバーであることが望ましい。
【００１７】
このような構成の情報機器装置によれば、装置本体に対するカバーの片掛かり状態が生じなくなり、カバーと装置本体との間に形成される媒体排出部が斜めになり、記録媒体が傾斜して送られる等の搬送不良が発生しなくなる。
【発明を実施するための最良の形態】
【００１８】
以下、本発明に係るカバー係止機構を備えた情報機器装置の好適な実施形態を添付図面に基づいて説明する。
図１は本発明の一実施形態に係るカバー係止機構を備えた情報機器装置の一部分を透視した斜視図、図２は図１に示した情報機器装置の一部分を透視した側面図、図３は図２に示した情報機器装置の解除レバーを操作したときの側面図である。
【００１９】
図１及び図２に示すように、レシートプリンタ（情報機器装置）１００は、装置本体１１と、この装置本体１１に設けられ、回転軸１５を中心に開閉可能に回動される上部カバー（カバー）１３と、上部カバー１３を装置本体１１に対して閉状態に係止するカバー係止機構２１と、を備えている。上部カバー１３の開動先端と装置本体１１との間には用紙出口（媒体排出部）１６が形成され、用紙出口１６は上部カバー１３が開かれることで開放される。
【００２０】
装置本体１１の内部には、上部カバー１３を開いた位置に、ロール紙（記録媒体）が投入されるロール紙収容部（記録媒体収容部）１１ａが形成されている（図２参照）。
すなわち、上部カバー１３は、ロール紙収容部１１ａの上部開口を覆うカバーである。
【００２１】
ロール紙収容部１１ａに収容されたロール紙は、繰出し端が用紙出口１６に置かれた状態で、上部カバー１３が閉止されることにより、装置本体１１側に設けられたサーマルヘッド（図示省略）と上部カバー１３側に設けられたプラテンローラ２８（図１参照）とによって挟まれるようになっている。用紙出口１６にはカッター（図示省略）が配置され、カッターは装置本体１１のフレームに固定されている。
【００２２】
図１及び図２に示すように、上部カバー１３は、その内部にカバーフレーム２７を備えており、カバーフレーム２７の左右後端部が前記回転軸１５を介して装置本体１１に対して回動自在に支持されている。カバーフレーム２７の前端部には、左右方向の内側にプラテンローラ２８が回転自在に軸支されており、左右方向の外側にプラテンローラ２８の回転軸と同軸上に可動フレーム２６が軸支されている。
【００２３】
可動フレーム２６は、カバーフレーム２７の左右方向全長に亘って形成され、カバーフレーム２７に対して軸支されることにより、上下に揺動可能である。そして、その揺動する動作によって、装置本体１１に対する上部カバー１３の係止とその解除が行なわれるようになっている。
【００２４】
なお、可動フレーム２６は引っ張りコイルばね（図示省略）によってもカバーフレーム２７に連結されており、その引っ張りコイルばねの張力により装置本体１１側（下方）へ付勢されている。
【００２５】
可動フレーム２６における左右には、それぞれ、軸支された箇所の下方位置に、装置本体１１に設けられた係止ピン（係合部）３２に係合可能な係止爪３３が形成されている。この係止爪３３は、可動フレーム２６の下方への回動変位（図中時計回り）により先端が前方へ移動し、可動フレーム２６の揺動下限位置では係止ピン３２の下側に係止される。
すなわち、上部カバー１３を閉じた状態では、可動フレーム２６が揺動下限位置まで変位し、係止ピン３２と係止爪３３からなるカバー係止機構２１によって、上部カバー１３が装置本体１１に対して閉状態に係止される。
【００２６】
また、可動フレーム２６における左右の後端には、カバー係止機構２１の係止を解除する解除レバー（解除操作部）２５がそれぞれ設けられている。
解除レバー２５は、上部カバー１３が閉じてカバー係止機構２１が係止状態にあるときは、図１及び図２に示すように、下側に突出した状態となる。そのとき、解除レバー２５の操作面である下面２５ａは、略水平面である。解除レバー２５の下面２５ａを上に押し上げると、可動フレーム２６が前記引っ張りコイルばねの付勢力に対向して上方へ回動変位（図中反時計回り）し、係止爪３３が係止ピン３２から離れて、カバー係止機構２１の係止状態が解除される（図３参照）。
【００２７】
また、可動フレーム２６における係止爪３３と解除レバー２５との間の位置には、カバーフレーム２７に設けられた当接ピン３０が内側に配置される凹部３１が形成されている。
【００２８】
また、図３に示すように、解除レバー２５を操作して上方に変位させた状態では、凹部３１の下部に当接ピン３０が当接した状態となり、解除レバー２５を上方に持ち上げる力を、当接ピン３０を介してカバーフレーム２７に伝える。さらにその際、解除レバー２５の上部は上部カバー１３の内側に当接し、解除レバー２５を上方に持ち上げる力が、直接上部カバー１３にも伝わる。
【００２９】
ところで、上部カバー１３には、一般的に、装置本体１１に対する上部カバー１３のねじれや、上部カバー１３の前後方向の位置ズレ等によるガタツキが生じる。このガタツキを完全に除去することは極めて困難であり、仮に除去したとしても過剰且つ不経済な品質での製作が強いられることになる。
【００３０】
図４は左側係止爪を装置外方から見た側面図、図５は（ａ）に右側カバー係止機構を装置外方から見た側面視、（ｂ）に左側カバー係止機構を装置外方から見た側面視を示した発明に係るカバー係止機構の要部説明図である。
本実施形態に係るカバー係止機構２１は、上部カバー１３の右側に配設される図５（ａ）に示す右側カバー係止機構２１Ｒと、上部カバー１３の左側に配設される図５（ｂ）に示す左側カバー係止機構２１Ｌとからなる。
【００３１】
右側カバー係止機構２１Ｒは、右側係止爪３３Ｒと、右側係止ピン３２Ｒとを有してなる。左側カバー係止機構２１Ｌは、左側係止爪３３Ｌと、左側係止ピン３２Ｌとを有してなる。右側係止爪３３Ｒと左側係止爪３３Ｌとは、左右がつながっていることで連動して移動する。
【００３２】
このカバー係止機構２１では、右側係止爪３３Ｒと左側係止爪３３Ｌの少なくとも一方の係止爪（本実施形態では左側係止爪３３Ｌ）が、図４に示すように、上部カバー１３のガタツキ変位量分の輪郭拡大部（斜線部分）３５を有して形成されている。なお、図４中の二点鎖線は右側係止爪３３Ｒの輪郭を表す。
【００３３】
輪郭拡大部３５は、上部カバー１３の前後方向のガタツキ変位量δ１及び左右の捩れにより発生するガタツキ変位量δ２をキャンセルする輪郭拡大寸法（本実施形態ではδ１、δ２と同一寸法）を有して形成されている。つまり、左右が連動して動作するカバー係止機構２１において、上部カバー１３が開いている場合には係止爪３３が係止ピン３２に当たる形状を左側係止爪３３Ｌに設けている。
【００３４】
したがって、右側係止爪３３Ｒと左側係止爪３３Ｌの間に、カバー前後方向のガタツキ及びカバー左右の捩れによるガタツキが生じている場合であっても、一方の係止爪５１３Ｒ（図６参照）が係止されているにもかかわらず、ガタツキ変位量が作用して他方の係止爪５１３Ｌ（図６参照）が未係止となる片掛かり状態を防止できる。
【００３５】
更に、本実施形態に係るカバー係止機構２１は、一方の左側係止爪３３Ｌのみが輪郭拡大部３５を有するように形成されている。そこで、ガタツキ変位量分だけ移動される一方の左側係止爪３３Ｌが係止状態となるまで係合方向に移動されれば、輪郭拡大部３５の付与されていない他方の右側係止爪３３Ｒも必ず係止される位置まで揺動されることとなる。
【００３６】
また、一対の左側係止爪３３Ｌと右側係止爪３３Ｒとは連結されることにより連動して移動されるため、輪郭拡大部３５の付与されている左側係止爪３３Ｌが係止される前に、他方の右側係止爪３３Ｒが係止されることがない。すなわち、左側係止爪３３Ｌと左側係止ピン３２Ｌとが当たっている時は、右側係止爪３３Ｒは係止方向へ回転されないため、何れの係止爪３３も係止ピン３２に係止することがなく、上部カバー１３の閉止されることがない。
【００３７】
また、本実施形態のカバー係止機構２１は、一方の右側係止爪３３Ｒの係止状態のみが、一つのカバーオープン検出スイッチ３６にて検出される構成とされている。このカバー係止機構２１では、片掛かり状態が防止され、左側係止爪３３Ｌと右側係止爪３３Ｒとが同時に係止されるので、片側の右側係止爪３３Ｒの係止状態を検出する一つのカバーオープン検出スイッチ３６だけで上部カバー１３の開閉を確実に検出することができる。
【００３８】
上記した本実施形態のレシートプリンタ１００によれば、カバー係止機構２１における左側係止爪３３Ｌに、上部カバー１３のガタツキ変位量分の輪郭拡大部３５を付与したので、上部カバー１３のねじれや、カバー前後方向の位置ズレ等によるガタツキ変位量分だけ左側係止爪３３Ｌが係合方向に移動されなければ、右側係止爪３３Ｒ及び左側係止爪３３Ｌは係止ピン３２に係止されない。そこで、一方の係止爪が係止されているにもかかわらず、ガタツキ変位量が作用して他方の係止爪が未係止となる片掛かり状態を防止できる。
【００３９】
この結果、左右が連動して移動する右側係止爪３３Ｒ及び左側係止爪３３Ｌを備えた上部カバー１３において、片側が開いている状態ではもう片側は閉まらないように構成でき、両側が閉まることではじめて上部カバー１３の全体を全閉させることができるようになる。
【００４０】
そして、上記カバー係止機構２１を備えたレシートプリンタ１００によれば、上部カバー１３が完全に閉止されなければ、開放されたままとなるので、開閉状態を容易に確認することができる。
また、上部カバー１３が、装置本体１１のロール紙収容部１１ａを覆うカバーであるので、装置本体１１に対する上部カバー１３の片掛かり状態が生じなくなり、上部カバー１３と装置本体１１との間に形成される用紙出口１６が斜めになり、ロール紙が送られなくなる等の搬送不良が発生しなくなる。
【００４１】
さらに、上部カバー１３が開いている場合（カバーオープン検出スイッチ３６が閉止を検出しない場合）に、レシートプリンタ１００がオンライン状態とならないようにすることで、レシートプリンタ１００がエラー停止することによる記録データ消失等の不具合を防止することができる。
【００４２】
なお、上記実施形態では、ロール紙収容部１１ａを覆う上部カバー１３のカバー係止機構２１がレシートプリンタ１００に設けられた場合を例に説明したが、本発明に係るカバー係止機構は、この他、開閉可能に回動されるカバーが装置本体に設けられたその他の情報機器装置（例えば、ロール紙プリンタ、ファクシミリ等）に用いられても上記と同様の効果を奏するものである。
また、カバー係止機構としてカバーに設けられた係止爪及び装置本体に設けられた係止部を説明したが、カバー側に係止部を設け、装置本体側に係止爪を設けることも考えられるが、カバーを開閉する動作と前記カバー係止機構を解除する動作は、連続して行われることが望ましいことからカバー側に回動する係止爪を設けることが望ましい。
【図面の簡単な説明】
【００４３】
【図１】本発明の一実施形態に係るカバー係止機構を備えた情報機器装置の一部分を透視した斜視図である。
【図２】図１に示した情報機器装置の一部分を透視した側面図である。
【図３】図２に示した情報機器装置の解除レバーを操作したときの側面図である。
【図４】左側係止爪を装置外方から見た側面図である。
【図５】（ａ）に右側カバー係止機構を装置外方から見た側面視、（ｂ）に左側カバー係止機構を装置外方から見た側面視を示した発明に係るカバー係止機構の要部説明図である。
【図６】（ａ）に右側カバー係止機構を装置外方から見た側面視、（ｂ）に左側カバー係止機構を装置外方から見た側面視を示した従来のカバー係止機構の要部説明図である。
【符号の説明】
【００４４】
１１…記録装置本体、１１ａ…ロール紙収容部（記録媒体収容部）、１３…上部カバー（カバー）、２１…カバー係止機構、３２…係止ピン（係合部）、３３…係止爪、３５…輪郭拡大部、３６…カバーオープン検出スイッチ、１００…レシートプリンタ（情報機器装置）、δ１…カバーの前後方向のガタツキ変位量、δ２…左右の捩れにより発生するガタツキ変位量
【図１】
2009029092.tif 000003
【図２】
2009029092.tif 000004
【図３】
2009029092.tif 000005
【図４】
2009029092.tif 000006
【図５】
2009029092.tif 000007
【図６】
2009029092.tif 000008